(57)【要約】【課題】ケーブルの布設張力を小さくし、既設ケーブルとの摩擦を小さくし得る、特に光ファイバーケーブルに好適なケーブル布設用管路、管路組立方法、及びケーブル布設方法を提供する。【解決手段】同一管路内に他のケーブルを追加することが可能な管路であり、管路内上部に挿通され管路両端部の上部で固定された吊り紐と、吊り紐に沿って移動可能な可動部とを有し、可動部を管路両端部に移動可能とする牽引紐が可動部に連結されてなる、又は、管路内上部に挿通され管路両端部の上部で滑車又は摩擦抵抗の小さな取付け部材により、牽引紐が管路両端部を循環可能にループ状に取り付けられてなる。【選択図】  図２
2004312958.tif 000002
【特許請求の範囲】
【請求項１】
同一管路内に他のケーブルを追加することが可能な管路であり、管路内上部に挿通され管路両端部の上部で固定された吊り紐と、吊り紐に沿って移動可能な可動部とを有し、可動部を管路両端部に移動可能とする牽引紐が可動部に連結されてなることを特徴とするケーブル布設用管路。
【請求項２】
同一管路内に他のケーブルを追加するための管路組立方法であって、通線具を用いて吊り紐を管路内に挿通し、吊り紐に沿って移動可能な可動部を装着し、吊り紐を管路両端部の上部で固定した後に、可動部を管路両端部に移動可能とする牽引紐を、通線具を用いて管路内に挿通し可動部に取り付けることを特徴とする管路組立方法。
【請求項３】
請求項１記載のケーブル布設用管路において、ケーブルの牽引端部を可動部に取り付け、牽引紐を牽引してケーブルを管路内に布設することを特徴とするケーブル布設方法。
【請求項４】
同一管路内に他のケーブルを追加することが可能な管路であり、管路内上部に挿通され管路両端部の上部で滑車又は摩擦抵抗の小さな取付け部材により、牽引紐が管路両端部を循環可能にループ状に取り付けられてなることを特徴とするケーブル布設用管路。
【発明の詳細な説明】
【０００１】
【発明の属する技術分野】
本発明は、複数条の通信用等のケーブルを同一管路内に収容する場合のケーブル布設用管路、管路組立方法及びケーブル布設方法に関する。
【０００２】
【従来の技術】
複数条のケーブルを同一管路内に収容する場合、図１に示すように、従来は、管路２にケーブル３を布設する時にケーブル３の先端に通線紐４の一端を固定してケーブル３と通線紐４とを同時に布設しておき、更に他のケーブル８１を同一管路内に布設する場合には、通線紐４の他端にケーブル布設用の牽引ロープ６の一端を固定して牽引して牽引ロープ６を布設し、更に牽引ロープ６の他端にケーブル８１を固定してケーブル８１を布設していた（特許文献１参照）。
【０００３】
このようにしてケーブル８１を布設する際に、更に追加してケーブルを布設する場合には通線紐４の一端をケーブル８１の先端に固定してケーブル８１と通線紐４とを同時に布設し、この工程を繰り返すことにより、複数条のケーブルを同一管路内に布設し収容する方法が用いられていた。
【０００４】
しかしながら、この方法においては、通線紐４とケーブル３とを同時に布設する際に、通線紐４が同時に布設しているケーブル３又は既設のケーブル１の下にもぐり込むことがあった（図１（ａ））。
【０００５】
また、従来は通線紐４に牽引ロープ６を固定する方法として、牽引ロープ６に取付けられているプーリングアイ６ａを通線紐４に直接固定する方法を採用していた。このプーリングアイ６ａの外径は、通常ケーブルの外径より小さいため、通線紐４で牽引ロープ６を牽引する際に、牽引ロープ６が通線紐４に引張られて同様に既設のケーブル１，３の下にもぐり込ことがあり、既設のケーブル１，３と絡まった状態で布設されてしまうことがあった（図１（ｂ））。
【０００６】
この状態の牽引ロープ６で追加のケーブル８１を布設すると、同様に追加のケーブル８１が既設のケーブル１、３と絡まった状態で布設されてしまうことがあった（図１（ｃ））。
【０００７】
このため、通線紐４によって牽引ロープ６を布設する時の布設張力及び牽引ロープ６によって追加のケーブル８１を布設する時の布設張力が著しく大きくなり、ケーブル１，３と牽引ロープ６との摩擦又はケーブル１，３とケーブル８１との摩擦により、ケーブルの損傷や破損が発生しやすいという問題があった。
【０００８】
特に近年は光ファイバーケーブルの敷設が増加しており、この場合上記問題は更に顕著であった。
【０００９】
【特許文献１】
特開２０００−１２５４２９号公報
【００１０】
【発明が解決しようとする課題】
本発明の目的は、上記従来のケーブル布設の問題点に鑑み、ケーブル布設時の布設張力を小さくし、既設ケーブルとの摩擦を小さくし得る、特に光ファイバーケーブルに好適なケーブル布設用管路、管路組立方法及びケーブル布設方法を提供することにある。
【００１１】
【課題を解決するための手段】
請求項１記載のケーブル布設用管路は、同一管路内に他のケーブルを追加することが可能な管路であり、管路内上部に挿通され管路両端部の上部で固定された吊り紐と、吊り紐に沿って移動可能な可動部とを有し、可動部を管路両端部に移動可能とする牽引紐が可動部に連結されてなることを特徴とする。
請求項２記載の管路組立方法は、同一管路内に他のケーブルを追加するための管路組立方法であって、通線具を用いて吊り紐を管路内に挿通し、吊り紐に沿って移動可能な可動部を装着し、吊り紐を管路両端部の上部で固定した後に、可動部を管路両端部に移動可能とする牽引紐を、通線具を用いて管路内に挿通し可動部に取り付けることを特徴とする。
請求項３記載のケーブル布設方法は、請求項１記載のケーブル布設用管路において、ケーブルの牽引端部を可動部に取り付け、牽引紐を牽引してケーブルを管路内に布設することを特徴とする。
請求項４記載のケーブル布設用管路は、同一管路内に他のケーブルを追加することが可能な管路であり、管路内上部に挿通され管路両端部の上部で滑車又は摩擦抵抗の小さな取付け部材により、牽引紐が管路両端部を循環可能にループ状に取り付けられてなることを特徴とする。
【００１２】
（作用）
本発明によれば、管路両端部の上部で固定された吊り紐に沿って移動可能な可動部、又はループ状に取り付けられた牽引紐にケーブルの牽引端部が取り付けられることで、ケーブルの牽引端部が管路上部に持ち上げられ、管路上部に挿通された吊り紐又は牽引紐に沿って牽引され移動するので、従来の方法のように、牽引紐やケーブルが既設のケーブルと絡まった状態で布設されてしまうことがなく、ケーブル布設時の布設張力を小さく押さえることができるとともに、牽引紐やケーブルと既設ケーブルとの摩擦を小さく押さえることが可能となり、ケーブルの損傷や破損を防止することができる。
【００１３】
【発明の実施の形態】
以下、本発明の実施の形態について、図面を参照しつつ説明する。
図２は本発明の実施の形態を例示する説明図であり、符号２はケーブルを収容する管路、符号７１は管路２の牽引側端部、符号７２は管路２の繰り出し側端部、符号１０は吊り紐、符号１１は吊り紐の固定部、符号１２は牽引紐、符号１３は可動部を示す。
【００１４】
本発明のケーブル布設管路は、図２（ａ）に例示するように、管路２の上部に挿通され管路両端部７１，７２の上部で吊り紐の固定部１１，１１に固定された吊り紐１０と、吊り紐１０に沿って移動可能な可動部１３とを有し、可動部１３を管路両端部７１，７２に移動可能とする牽引紐１２に可動部１３が連結されてなるものである。
【００１５】
上記吊り紐１０又は牽引紐１２の材料としては、特に限定されないが、例えば、布設するケーブルが細径の光ファイバケーブルの場合には、単位長当りの重量は５ｇ／ｍ以下であり、ケーブル布設長が５０ｍ程度であれば総重量２５０ｇ程度となるので、細い針金、ビニロン等の合成繊維又は綿糸等が好適である。
【００１６】
上記可動部１３としては、吊り紐１０に沿って移動可能なものであれば特に限定されないが、例えば、吊り紐に通して移動可能な円筒状又はリング状のものが好適である。
【００１７】
吊り紐１０の固定部１１，１１は、吊り紐１０を管路両端部の上部に固定可能で、可動部１３、牽引紐１２及びケーブルなどが取り付けられて牽引される場合の荷重に耐えうるものであれば特に限定されず、通常、吊り紐１０を引っ掛けたり縛ったりして固定可能な金属製や樹脂製部材を管路両端部の上部にボルト、釘、接着剤、針金などを用いて固定する方法が用いられる。
【００１８】
上記牽引紐１２は、可動部１３を管路両端部７１，７２に移動可能とするように可動部１３に連結されたものであれば特に限定されず、通常可動部１３から管路両端部７１，７２の両方向に伸ばされ、牽引可能な十分な長さを有する牽引紐１２が連結される。
【００１９】
この牽引紐１２は、例えば、図２（ｂ）に例示するように、管路両端部７１，７２の外側に設けられた巻き取り具１４，１４に巻き付けられて用いられてもよい。上記牽引紐１２の材質としては特に限定されず、例えば、細い針金、ビニロン等の合成繊維又は綿糸等が用いられる。
【００２０】
本発明の管路組立方法は、例えば図２（ａ）に示す管路２の内部に通線具（図示せず）を用いて吊り紐１０を挿通し、吊り紐１０に沿って移動可能な円筒状の可動部１３を吊り紐１０に通して装着し、吊り紐１０を管路両端部７１，７２の上部にボルトで固定された固定部１１，１１に結束して固定し、吊り紐１０が管路２内の上部に配設された後に、通線具（図示せず）を用いて牽引紐１２を管路２内に挿通し、牽引紐１２を可動部１３に取り付ける方法である。なお、上記通線具としては、例えばリード線などを用いた汎用の引き込み具が用いられる。
【００２１】
本発明のケーブル布設方法は、例えば、図２（ｂ）に示すように、管路２の送り出し側端部７２でケーブル牽引端部５が取り付けられた可動部１３を、牽引側端部７１の側から牽引紐１２を矢印９の方向に牽引し、ケーブル８，８，・・を引き出した後、稼働部１３からケーブル牽引端部５を取り外すことで、ケーブル８，８，・・を管路２内に布設する方法である。
【００２２】
本発明においては、可動部１３を管路両端部７１，７２に移動可能とする牽引紐１２が取り付けられているので、上記のようにケーブルを布設した後に、繰り出し側７２から牽引紐１２を引き戻し、可動部１３を繰り出し側７２に引き戻すことができる。
【００２３】
本発明において、他のケーブルを追加する場合は、例えば、図２（ｃ）に示すような既設のケーブル１，１，・・が布設された管路２において、図２（ｄ）に例示するように、追加のケーブル８１，８１，・・の牽引端部５を可動部１３に取付けた後、牽引側７１で、牽引紐１２を牽引した後、可動部１３からケーブルの牽引端部５を取り外すことで追加のケーブル８１，８１・・を管路２内に布設することが出来る。
【００２４】
更に追加のケーブルの布設が必要な場合は、繰り出し側７２から牽引紐１２を引き戻し、可動部１３を繰り出し側７２に引き戻した後、上記操作を繰り返せばよい。
【００２５】
上記の方法によれば、ケーブル８１，８１・・の牽引端部５が管路上部に持ち上げられ、管路上部に挿通された吊り紐に沿って牽引され移動するので、既設のケーブル１，１・・に追加のケーブル８１，８１・・の牽引端部が絡まることなく布設することが可能となる。
【００２６】
本発明のケーブル布設用管路においては、図３に例示するように、牽引紐１２に上記吊り紐１０の機能を持たせ、可動部１３をなくした構成とすることも可能である。即ち、牽引紐１２が管路両端部７１，７２の上部で滑車又は摩擦抵抗の小さな取付け部材１５によりループ状に取り付けられ、牽引紐１２が管路両端部７１，７２を循環可能に取り付けられたものである。
【００２７】
上記管路においてケーブルを布設する際は、例えば、図３に示すように、繰り出し側７２において、牽引紐１２の任意の位置にケーブル牽引端部５を結束し、牽引側７１から牽引紐１２を牽引することで、ケーブル８，８・・を管路２内に布設することができる。この場合には、追加のケーブルを繰り返し布設する際の作業性が向上する点で好ましい。
【００２８】
上記取付け部材１５の材質は、例えば、摩擦抵抗が小さなポリエチレン等の樹脂製のものが好適である。
【００２９】
【発明の効果】
以上説明したように、本発明によれば、ケーブルの布設張力を小さくすることができ、管路にケーブルを追加布設する際にも、既設ケーブルとの絡まりや摩擦などによるケーブルへ働く外力を極力小さくすることができ、特に光ファイバーケーブルなど曲げ強度の低いケーブルに対しても、ケーブルの損傷や破損を防止することが可能となる。
【図面の簡単な説明】
【図１】従来のケーブル布設方法の一例を説明する模式図である。
【図２】本発明に係るケーブル布設用管路、管路組立方法、及びケーブル布設方法の一例を説明する模式図である。
【図３】本発明に係る他のケーブル布設用管路の一例を説明する模式図である。
【符号の説明】
１、３  既設のケーブル
２  管路
４  通線紐
５  牽引端部
７  管路端部
７１  牽引側端部
７２  繰り出し側端部
８  ケーブル
８１  追加のケーブル
９  布設の方向を示す矢印
１０  吊り紐
１１  固定部
１２  牽引紐
１３  可動部
１４  巻き取り具
１５  取付け部材
【図１】
2004312958.tif 000003
【図２】
2004312958.tif 000004
【図３】
2004312958.tif 000005